【手続補正書】
【提出日】平成28年1月29日(2016.1.29)
【手続補正１】
【補正対象書類名】明細書
【補正対象項目名】００１２
【補正方法】変更
【補正の内容】
【００１２】
上記目的を達成するために、本発明に係る撮像装置は、
被検眼に対して第一の測定光を合焦する第一の合焦手段を介して該第一の測定光を照射した該被検眼からの第一の戻り光に基づいて、該被検眼の第一の画像を取得する第一の画像取得手段と、
前記第一の合焦手段を移動する第一の移動手段と、
収差補正手段を含み、前記被検眼に対して第二の測定光を合焦する第二の合焦手段を介して該第二の測定光を照射した該被検眼からの第二の戻り光に基づいて、該被検眼における前記第一の画像の一部に対応する領域の第二の画像を取得する第二の画像取得手段と、
前記第二の合焦手段を移動する第二の移動手段と、
前記被検眼の固視を促す固視灯の点灯位置を変更する変更手段と、
前記第一の合焦手段と前記第二の合焦手段とを互いに同期して移動するように前記第一の移動手段及び前記第二の移動手段を制御することにより前記第一の合焦手段の合焦状態と前記第二の合焦手段の合焦状態とを調整し、前記第一の合焦手段と前記第二の合焦手段とが互いに同期して移動された後に前記収差補正手段を制御し、前記固視灯の点灯位置が変更された後に前記第二の合焦手段を独立して移動するように前記第二の移動手段を制御することにより前記第二の合焦手段の合焦状態を調整する合焦調整手段と、を有することを特徴とする。
【手続補正２】
【補正対象書類名】特許請求の範囲
【補正対象項目名】全文
【補正方法】変更
【補正の内容】
【特許請求の範囲】
【請求項１】
被検眼に対して第一の測定光を合焦する第一の合焦手段を介して該第一の測定光を照射した該被検眼からの第一の戻り光に基づいて、該被検眼の第一の画像を取得する第一の画像取得手段と、
前記第一の合焦手段を移動する第一の移動手段と、
収差補正手段を含み、前記被検眼に対して第二の測定光を合焦する第二の合焦手段を介して該第二の測定光を照射した該被検眼からの第二の戻り光に基づいて、該被検眼における前記第一の画像の一部に対応する領域の第二の画像を取得する第二の画像取得手段と、
前記第二の合焦手段を移動する第二の移動手段と、
前記被検眼の固視を促す固視灯の点灯位置を変更する変更手段と、
前記第一の合焦手段と前記第二の合焦手段とを互いに同期して移動するように前記第一の移動手段及び前記第二の移動手段を制御することにより前記第一の合焦手段の合焦状態と前記第二の合焦手段の合焦状態とを調整し、前記第一の合焦手段と前記第二の合焦手段とが互いに同期して移動された後に前記収差補正手段を制御し、前記固視灯の点灯位置が変更された後に前記第二の合焦手段を独立して移動するように前記第二の移動手段を制御することにより前記第二の合焦手段の合焦状態を調整する合焦調整手段と、を有することを特徴とする撮像装置。
【請求項２】
前記第一の画像のコントラストを前記第一の合焦手段の合焦状態として取得する合焦状態取得手段を更に有し、
前記合焦調整手段が、前記第一の画像のコントラストに基づいて、前記第一の合焦手段と前記第二の合焦手段とを互いに同期して移動するように前記第一の移動手段及び前記第二の移動手段を制御することにより、前記第一の合焦手段の合焦状態と前記第二の合焦手段の合焦状態とを調整することを特徴とする請求項１に記載の撮像装置。
【請求項３】
前記合焦調整手段が、前記第一の戻り光に基づいて、前記第一の合焦手段と前記第二の合焦手段とを互いに同期して移動させることにより、前記第一の合焦手段の合焦状態と前記第二の合焦手段の合焦状態とを調整することを特徴とする請求項１に記載の撮像装置。
【請求項４】
前記第一の合焦手段と前記第二の合焦手段との少なくとも何れかの調整状態が、前記第一の合焦手段或いは前記第二の合焦手段の光軸上の位置、または前記第一の合焦手段或いは前記第二の合焦手段の光軸に対する角度で表わされることを特徴とする請求項１乃至３の何れか一項に記載の撮像装置。
【請求項５】
前記第二の合焦手段の位置または角度が、前記第一の測定光を前記被検眼に対して合焦させた調整状態における前記第一の合焦手段の位置または角度から算出されることを特徴とする請求項４に記載の撮像装置。
【請求項６】
前記被検眼の回旋を促す前記固視灯の点灯位置を考慮して、前記第二の合焦手段の光軸上の位置または前記第二の合焦手段の前記光軸に対する角度が算出されることを特徴とする請求項４または５に記載の撮像装置。
【請求項７】
前記第一の合焦手段と前記第二の合焦手段との何れかの光軸上の位置または前記第一の合焦手段と前記第二の合焦手段との何れかの前記光軸に対する角度の調整が、電動ステージを用いて行われることを特徴とする請求項４乃至６の何れか一項に記載の撮像装置。
【請求項８】
前記第一の画像取得手段は、前記被検眼において前記第一の測定光を走査する第一の走査手段を含み、前記第一の合焦手段と前記第二の合焦手段とを互いに同期して移動させる際に、前記第一の走査手段を用いてＷＦＳＬＯ画像を前記第一の画像として連続して取得し、
前記第二の画像取得手段は、前記第一の走査手段の走査範囲よりも狭い前記被検眼の範囲において前記第二の測定光を走査する第二の走査手段を含み、前記第一の合焦手段と前記第二の合焦手段とを互いに同期して移動させた後に、前記第二の走査手段及び前記収差補正手段を用いてＡＯＳＬＯ画像を前記第二の画像として取得することを特徴とする請求項１乃至７の何れか一項に記載の撮像装置。
【請求項９】
前記第一の画像取得手段による前記被検眼における第一の撮像範囲は、前記第二の画像取得手段における前記被検眼における第二の撮像範囲よりも広く設定されることを特徴とする請求項１乃至８の何れか一項に記載の撮像装置。
【請求項１０】
前記第一の合焦手段及び前記第二の合焦手段の光学設計値に基づいて前記第二の合焦手段の調整状態を算出する調整状態算出手段を更に有し、
前記合焦調整手段は、前記算出された調整状態と前記第一の戻り光とに基づいて、前記第二の合焦手段を移動させることにより、前記第二の合焦手段の合焦状態を調整することを特徴とする請求項１乃至９の何れか一項に記載の撮像装置。
【請求項１１】
前記合焦調整手段は、前記固視灯の点灯位置が変更された後で、前記被検眼の網膜の所望の層に前記第二の測定光を合焦させるように前記第二の合焦手段を移動させることにより前記第二の合焦手段の合焦状態を調整することを特徴とする請求項１乃至１０の何れか一項に記載の撮像装置。
【請求項１２】
前記第二の画像取得手段が、前記被検眼からの第二の戻り光の収差を測定する収差測定手段を更に含み、
前記合焦調整手段が、前記第一の合焦手段と前記第二の合焦手段とを互いに同期して移動させた後に、前記測定された収差に基づいて前記収差補正手段をリアルタイムに制御することによりフィードバック制御を行うことを特徴とする請求項１乃至１１の何れか一項に記載の撮像装置。
【請求項１３】
被検眼に対して第一の測定光を合焦する第一の合焦手段を介して該第一の測定光を照射した該被検眼からの第一の戻り光に基づいて、該被検眼の第一の画像を取得する第一の画像取得手段と、
収差補正手段を含み、前記被検眼に対して第二の測定光を合焦する第二の合焦手段を介して該第二の測定光を照射した該被検眼からの第二の戻り光に基づいて、該被検眼における前記第一の画像の一部に対応する領域の第二の画像を取得する第二の画像取得手段と、
前記被検眼の固視を促す固視灯の点灯位置を変更する変更手段と、
前記第一の合焦手段の合焦状態と前記第二の合焦手段の合焦状態とを同期して制御し、前記第一の合焦手段の合焦状態と前記第二の合焦手段の合焦状態とが同期して制御された後に前記収差補正手段を制御し、前記固視灯の点灯位置が変更された後に前記第二の合焦手段の合焦状態を独立して制御する制御手段と、
を有することを特徴とする撮像装置。
【請求項１４】
前記制御手段が、前記第一の戻り光に基づいて、前記第一の合焦手段と前記第二の合焦手段とを互いに同期して移動させることにより、前記第一の合焦手段の合焦状態と前記第二の合焦手段の合焦状態とを制御することを特徴とする請求項１３に記載の撮像装置。
【請求項１５】
前記第二の画像取得手段が、前記被検眼からの第二の戻り光の収差を測定する収差測定手段を更に含み、
前記合焦調整手段が、前記第一の合焦手段の合焦状態と前記第二の合焦手段の合焦状態とを互いに同期して制御した後に、前記測定された収差に基づいて前記収差補正手段をリアルタイムに制御することによりフィードバック制御を行うことを特徴とする請求項１３または１４に記載の撮像装置。
【請求項１６】
前記第一の画像取得手段は、前記被検眼において前記第一の測定光を走査する第一の走査手段を含み、前記第一の合焦手段の合焦状態と前記第二の合焦手段の合焦状態とを互いに同期させて制御する際に、前記第一の走査手段を用いてＷＦＳＬＯ画像を前記第一の画像として連続して取得し、
前記第二の画像取得手段は、前記第一の走査手段の走査範囲よりも狭い前記被検眼の範囲において前記第二の測定光を走査する第二の走査手段を含み、前記第一の合焦手段の合焦状態と前記第二の合焦手段の合焦状態とを互いに同期させて制御した後に、前記第二の走査手段及び前記収差補正手段を用いてＡＯＳＬＯ画像を前記第二の画像として取得することを特徴とする請求項１３乃至１５の何れか一項に記載の撮像装置。
【請求項１７】
被検眼に対して第一の測定光を合焦する第一の合焦手段を介して該第一の測定光を照射した該被検眼からの第一の戻り光に基づいて、該被検眼の第一の画像を取得する工程と、
収差補正手段を用い、前記被検眼に対して第二の測定光を合焦する第二の合焦手段を介して該第二の測定光を照射した該被検眼からの第二の戻り光に基づいて、該被検眼における前記第一の画像の一部に対応する領域の第二の画像を取得する工程と、
前記第一の合焦手段と前記第二の合焦手段とを互いに同期して移動するように第一の移動手段及び第二の移動手段を制御することにより、前記第一の合焦手段の合焦状態と前記第二の合焦手段の合焦状態とを調整する工程と、
前記第一の合焦手段と前記第二の合焦手段とが互いに同期して移動された後に、前記収差補正手段を制御する工程と、
前記被検眼の固視を促す固視灯の点灯位置が変更された後に、前記第二の合焦手段を独立して移動するように前記第二の移動手段を制御することにより、前記第二の合焦手段の合焦状態を調整する工程と、
を有することを特徴とする撮像方法。
【請求項１８】
被検眼に対して第一の測定光を合焦する第一の合焦手段を介して該第一の測定光を照射した該被検眼からの第一の戻り光に基づいて、該被検眼の第一の画像を取得する工程と、
収差補正手段を用い、前記被検眼に対して第二の測定光を合焦する第二の合焦手段を介して該第二の測定光を照射した該被検眼からの第二の戻り光に基づいて、該被検眼における前記第一の画像の一部に対応する領域の第二の画像を取得する工程と、
前記第一の合焦手段の合焦状態と前記第二の合焦手段の合焦状態とを同期して制御する工程と、
前記第一の合焦手段の合焦状態と前記第二の合焦手段の合焦状態とが同期して制御された後に、前記収差補正手段を制御する工程と、
前記被検眼の固視を促す固視灯の点灯位置が変更された後に、前記第二の合焦手段の合焦状態を独立して制御する工程と、
を有することを特徴とする撮像方法。
【請求項１９】
請求項１７又は１８に記載の撮像方法の各工程をコンピュータに実行させることを特徴とするプログラム。